(57)【要約】【課題】特定の部屋内の換気を行えるとともに、特定の部屋内で発生した音の部屋外への透過量を少なくすることの可能な建物を提供する。【解決手段】特定の部屋（トイレ室５）と、特定の部屋内の空気を特定の部屋の外に排出するための排気手段３１と、特定の部屋への出入口を経由して隣り合う特定の部屋と特定の部屋以外の建物内部との間の空気の流通を遮断する遮断手段と、特定の部屋内と建物内部の居住外空間とに跨って貫通するよう形成された空気供給孔３２と、特定の部屋内に設置された遮音ダクト２００とを備え、遮音ダクト２００は、一端側開放口２０５と空気供給孔３２とが互いに繋がれ、他端側開放口２０６が特定の部屋内に開放されたことによって、特定の部屋内と空気供給孔とを繋ぐ遮音経路２０４を形成した。【選択図】図１
2008150874.tif 000002
【特許請求の範囲】
【請求項１】
特定の部屋と、特定の部屋内の空気を特定の部屋の外に排出するための排気手段と、特定の部屋への出入口を経由して隣り合う特定の部屋と特定の部屋以外の建物内部との間の空気の流通を遮断する遮断手段と、特定の部屋内と建物内部の居住外空間とに跨って貫通するよう形成された空気供給孔と、特定の部屋内に設置された遮音ダクトとを備え、遮音ダクトは、一端側開放口と空気供給孔とが互いに繋がれ、他端側開放口が特定の部屋内に開放されたことによって、特定の部屋内と空気供給孔とを繋ぐ遮音経路を形成したことを特徴とする建物。
【請求項２】
特定の部屋と、特定の部屋への出入口を経由して隣り合う特定の部屋と特定の部屋以外の建物内部との間の空気の流通を遮断する遮断手段と、特定の部屋内と建物内部の居住外空間とに跨って貫通するよう形成された空気供給孔と、特定の部屋内の空気を特定の部屋の外に排出するための排気孔と、特定の部屋内に設置された遮音ダクトとを備え、遮音ダクトは、一端側開放口と排気孔とが互いに繋がれ、他端側開放口が特定の部屋内に開放されたことによって、特定の部屋内と排気孔とを繋ぐ遮音経路を形成し、遮音経路又は排気孔には、特定の部屋内の空気を遮音経路及び排気孔経由で特定の部屋の外に排出するための排気手段が設けられたことを特徴とする建物。
【請求項３】
特定の部屋以外の建物内部の居住空間と居住外空間とに跨って貫通するか、あるいは、建物外部と特定の部屋以外の建物内部の居住外空間とに跨って貫通するよう形成された空気取込孔と、空気取込孔と空気供給孔とを繋ぐ空気流通経路とを備えたことを特徴とする請求項１又は請求項２に記載の建物。
【請求項４】
遮音経路が、特定の部屋の床と天井との間を往復する往復路により形成されたことを特徴とする請求項１乃至請求項３のいずれかに記載の建物。
【請求項５】
遮音経路が、特定の部屋の床と天井との間の蛇行路により形成されたことを特徴とする請求項１乃至請求項３のいずれかに記載の建物。
【請求項６】
遮音ダクトは遮音構成部を備え、遮音構成部は、外筒体と、外筒体の内側に設けられた内筒体と、外筒体及び内筒体の筒の中心軸の延長する筒の前後の端部において外筒体の端部と内筒体の端部とを互いに繋いで外筒体の端部と内筒体の端部との間を密閉状態に塞ぐ塞体と、外筒体と内筒体と塞体とで囲まれた空気層とを備えたことを特徴とする請求項１乃至請求項３のいずれかに記載の建物。
【請求項７】
特定の部屋が、トイレ室であることを特徴とする請求項１乃至請求項６のいずれかに記載の建物。
【請求項８】
遮音ダクトが、トイレ室に設けられた水溜タンクの両側にそれぞれ個別に位置するようにトイレ室内に設置されたことを特徴とする請求項７に記載の建物。
【発明の詳細な説明】
【技術分野】
【０００１】
この発明は、特定の部屋内の換気を行えるとともに、特定の部屋内で発生した音の部屋外への透過量を少なくすることの可能な建物に関する。
【背景技術】
【０００２】
トイレ室の出入口のドアの下部に換気のための空気流通口（アンダーカット）が設けられた構成の建物が知られている。
【特許文献１】特開２０００−１４５１８０号公報
【発明の開示】
【発明が解決しようとする課題】
【０００３】
しかしながら、上述した建物では、トイレ室内で発生した音が空気流通口を経由して部屋外へ伝播してしまうという課題があった。
【課題を解決するための手段】
【０００４】
本発明による建物は、特定の部屋と、特定の部屋内の空気を特定の部屋の外に排出するための排気手段と、特定の部屋への出入口を経由して隣り合う特定の部屋と特定の部屋以外の建物内部との間の空気の流通を遮断する遮断手段と、特定の部屋内と建物内部の居住外空間とに跨って貫通するよう形成された空気供給孔と、特定の部屋内に設置された遮音ダクトとを備え、遮音ダクトは、一端側開放口と空気供給孔とが互いに繋がれ、他端側開放口が特定の部屋内に開放されたことによって、特定の部屋内と空気供給孔とを繋ぐ遮音経路を形成した。
本発明による建物は、特定の部屋と、特定の部屋への出入口を経由して隣り合う特定の部屋と特定の部屋以外の建物内部との間の空気の流通を遮断する遮断手段と、特定の部屋内と建物内部の居住外空間とに跨って貫通するよう形成された空気供給孔と、特定の部屋内の空気を特定の部屋の外に排出するための排気孔と、特定の部屋内に設置された遮音ダクトとを備え、遮音ダクトは、一端側開放口と排気孔とが互いに繋がれ、他端側開放口が特定の部屋内に開放されたことによって、特定の部屋内と排気孔とを繋ぐ遮音経路を形成し、遮音経路又は排気孔には、特定の部屋内の空気を遮音経路及び排気孔経由で特定の部屋の外に排出するための排気手段が設けられた。
特定の部屋以外の建物内部の居住空間と居住外空間とに跨って貫通するか、あるいは、建物外部と特定の部屋以外の建物内部の居住外空間とに跨って貫通するよう形成された空気取込孔と、空気取込孔と空気供給孔とを繋ぐ空気流通経路とを備えたことも特徴とする。
遮音経路が、特定の部屋の床と天井との間を往復する往復路により形成されたことも特徴とする。
遮音経路が、特定の部屋の床と天井との間の蛇行路により形成されたことも特徴とする。
遮音ダクトは遮音構成部を備え、遮音構成部は、外筒体と、外筒体の内側に設けられた内筒体と、外筒体及び内筒体の筒の中心軸の延長する筒の前後の端部において外筒体の端部と内筒体の端部とを互いに繋いで外筒体の端部と内筒体の端部との間を密閉状態に塞ぐ塞体と、外筒体と内筒体と塞体とで囲まれた空気層とを備えたことも特徴とする。
特定の部屋が、トイレ室であることも特徴とする。
遮音ダクトが、トイレ室に設けられた水溜タンクの両側にそれぞれ個別に位置するようにトイレ室内に設置されたことも特徴とする。
【発明の効果】
【０００５】
本発明の建物によれば、遮断手段と遮音ダクトとを備えたので、特定の部屋の室内で発生した音の特定の部屋以外への透過量を少なくできるとともに、排気手段と空気供給孔とを備えたので、特定の部屋の室内の換気を効率的に行えるという効果が得られる。
空気取込孔と、空気取込孔と空気供給孔とを繋ぐ空気流通経路とを備えたので、特定の部屋以外又は建物外部から空気取込孔を経由して特定の部屋に給気でき、換気効率が良くなる。
遮音経路が、床と天井との間を往復する往復路により形成されたので、遮音経路の長さを長くでき、音の減衰効果を向上できる。
遮音経路が、床と天井との間の蛇行路により形成されたので、遮音経路の長さを長くでき、音の減衰効果を向上できる。
特定の部屋をトイレ室とすることで、トイレ室の室内で発生した音のトイレ室外への透過量を少なくできる。
遮音ダクトが、トイレ室に設けられた水溜タンクの両側にそれぞれ個別に位置するようにトイレ室内に設置されたので、トイレ室のスペースを有効活用でき、統一感のあるトイレ室の室内を提供できる。
【発明を実施するための最良の形態】
【０００６】
最良の形態１
図１乃至図３は本発明による建物の最良の形態１を示し、図１は建物としてのマンション（集合住宅）における一戸内のトイレ室とトイレ室の天井及び床の部分を断面（図３のＢ−Ｂ断面に相当）で示し、図２はマンションの一戸を断面（図３のＡ−Ａ断面に相当）で示し、図３は一戸の平面図（間取り）を示す。
【０００７】
図２において、１は床、２は戸境壁、４は天井、５はトイレ室、６は廊下、７は居室（洋室）である。
図３において、ａは玄関、ｂは納戸、ｃは浴室、ｄは居室（和室）、ｅはリビングダイニング、ｆはベランダ、２Ａは戸前廊下側の区画壁、２Ｂはベランダ側の区画壁、２１乃至２６は間仕切り壁である。
【０００８】
床１は二重床に形成される。二重床は、床スラブ１１と、床スラブ１１上に固定されて配置された複数の床支持具１２と、複数の床支持具１２に固定されて敷設された複数の床板１３とで形成される。床板１３は、床下地材と床仕上材とからなる。尚、図３に示すように、床１の床板１３の端面と一戸の室内を区画する戸境壁２や区画壁２Ａや区画壁２Ｂの内面との間に、隙間Ｓ分の幅で室内と床下空間とに貫通する空間（図３においてハッチングで示した部分）が設けられた構成を備えたので、床板１３の端面と壁とが縁の切れた状態とでき、床板１３の端面と壁とが接触することによるこすれ音の発生をなくすことができる。隙間Ｓの幅は例えば３ｍｍ程度である。
床支持具１２は、例えば上部に床板１３を取付けるための台座１２ａを有する支柱１２ｂを有し、かつこの支柱１２の下部を支持する支承部を有して床スラブ１１面に設置されるクッション部材から成る座部１２ｃを有するものである。
【０００９】
天井４は、天井スラブ１５と、天井仕上げボード１６と、天井仕上げボード１６を天井スラブ１５より吊下げるように取付ける取付具１７とで形成される。取付具１７は、例えば、天井スラブ１５に吊下げられた吊りボルト、吊りボルトに取り付けられたハンガー、ハンガーに支持された野縁受け、野縁受けに取り付けられた野縁とにより構成される。
廊下６と特定の部屋としてのトイレ室５とが間仕切り壁２１により仕切られ、廊下６と特定の部屋以外の部屋としての居室７とが間仕切り壁２２により仕切られる。
【００１０】
トイレ室５は、便器５ａ、水溜タンク５ｂの他に、排気手段３１と空気供給孔３２と遮音ダクト２００（給気側の遮音ダクト）とを備える。
排気手段３１は、例えば換気扇のような排気装置３１Ａにより形成される。排気装置３１Ａによってトイレ室５より排出された空気は、建物の居住外空間である天井裏空間３３を経由して戸外に通じる図外の排気孔より戸外に排出される。
空気供給孔３２は、トイレ室５の室内と建物の居住外空間である床下空間３５とに跨って貫通する。空気供給孔３２は、例えばトイレ室５の床板１３の端面１３Ａが戸境壁２の内面２Ａより離れて設置されたことによって床板１３の端面１３Ａと戸境壁２の内面２Ａとの間に設けられた隙間Ｓにより形成される。よって、隙間Ｓが空気供給孔３２として機能するとともに、隙間Ｓにより、床板１３の端面１３Ａと戸境壁２の内面２Ａとが縁の切れた状態となるので、床板１３の端面１３Ａと戸境壁２の内面２Ａとが接触することによるこすれ音の発生をなくすことができる。また、床板１３にドリルなどで孔を形成することなく空気供給孔３２を形成できるので、空気供給孔３２の形成作業が容易となり、かつ、床１の見栄えをよくできる。
【００１１】
図１を参照し、遮音ダクト２００の構造を説明する。遮音ダクト２００は、トイレ室５の室内に２つ設置される。２つの遮音ダクト２００がトイレ室５に設けられた水溜タンクの両側にそれぞれ個別に位置するようにトイレ室５内に設置したので、トイレ室５のスペースを有効活用でき、統一感のあるトイレ室５の室内を提供できる（図３参照）。遮音ダクト２００は、遮音ダクト２００を形成する筐体２０１の内壁２０２と内部仕切板２０３とによって区画形成された遮音経路２０４を備える。遮音経路２０４は、床１側から天井４側まで延長した後に床１側に戻る方向に延長する往復路２０８により形成される。遮音経路２０４の一端側には一端側開放口２０５を備え、遮音経路１０４の他端側には他端側開放口２０６を備える。遮音経路２０４の一端側開放口２０５と空気供給孔３２とが繋がれる。遮音経路２０４の他端側開放口２０６はトイレ室５の室内に開放される。つまり、遮音経路２０４が空気供給孔３２とトイレ室５の室内とに繋がっており、空気が床下空間３５とトイレ室５の室内との間で遮音経路２０４を経由して移動可能である（即ち、給気が可能である）。内壁２０２の表面と内部仕切板２０３の表面とには、グラスウールやロックウールのような吸音材２０７が設けられる。よって、遮音経路２０４を経由する音は吸音材２０７により減衰する。
【００１２】
図２に戻って、トイレ室５への人の出入口４１は、開口部４２と建具枠と建具と遮断手段４５とにより構成される。例えば、間仕切り壁２１に形成された開口部４２と、開口部４２の周縁に設けられた建具枠としてのドア枠４３と、ドア枠４３に開閉可能に設けられた建具としてのドア４４と、ドア４４が閉じられた場合に開口部４２を経由するトイレ室５の室内と廊下６との間の空気の流通を遮断する遮断手段４５とを備える。遮断手段４５は、例えば、閉じられたドア４４のトイレ室５側の面の周縁と、この周縁と気密状態を維持して接触するようにドア枠４３の周縁に設けられたゴム４６とにより構成される。よって、ドア４４が閉じられた場合に、遮断手段４５によって開口部４２を経由するトイレ室５の室内と廊下６との間の空気の流通が遮断される。
【００１３】
トイレ室５以外の部屋、即ち、特定の部屋以外の部屋（特定の部屋以外の建物内部）としての居室７、納戸ｂ、居室（和室）ｄ、リビングダイニングｅ、廊下６等のいずれか又は全ては、空気取込孔５１を備える。空気取込孔５１は、特定の部屋以外の建物の居住空間と居住外空間である床下空間３５とに跨って貫通する。空気取込孔５１は、例えば特定の部屋以外の部屋の床板１３の端面１３Ａが壁２や２Ａや２Ｂの内面２Ａより離れて設置されたことによって床板１３の端面１３Ａと壁の内面２Ａとの間に設けられた隙間Ｓにより形成される。よって、隙間Ｓが空気取込孔５１として機能するとともに、隙間Ｓにより、床板１３の端面１３Ａと壁の内面２Ａとが縁の切れた状態となるので、床板１３の端面１３Ａと壁の内面２Ａとが接触することによるこすれ音の発生をなくすことができる。また、床板１３にドリルなどで孔を形成することなく空気取込孔５１を形成できるので、空気取込孔５１の形成作業が容易となり、かつ、床１の見栄えをよくできる。
【００１４】
最良の形態１によれば、遮断手段４５が、開口部４２を経由するトイレ室５の室内と廊下６との間の空気の流通経路を遮断することにより、アンダーカットのような物理的な開口部がなくなって、遮音性能が向上するので、トイレ室５の室内で発生した音の廊下６への透過量を少なくできるとともに、開口部４２を経由するトイレ室５の室内と廊下６との間の空気の流通経路が遮断手段４５により遮断された場合でも、排気装置３１Ａの駆動によりトイレ室５の室内が負圧になると、特定の部屋以外の部屋としての居室７、納戸ｂ、居室（和室）ｄ、リビングダイニングｅ、廊下６等の室内から空気が、空気取込孔５１と空気供給孔３２とを繋ぐ空気流通経路６０を経由してトイレ室５の室内に供給されるため、トイレ室５の換気を効率的に行える。
【００１５】
つまり、従来は、トイレ室５の出入口のドアの下部に換気のための空気流通口（アンダーカット）を設けていたので、ドアが閉められた場合でも、当該空気流通口を経由してトイレ室５の室内で発生した音が空気流通口を経由して廊下に伝播してしまったが、最良の形態１によれば、遮断手段４５を備えたので、トイレ室５の室内で発生した音のドアを経由した廊下６への透過量を少なくできるとともに、排気装置３１Ａと空気流通経路６０とを備えたので、トイレ室５の室内の換気を効率的に行えるという効果が得られる。
【００１６】
そして、遮音ダクト２００がトイレ室５の室内に設置されたので、トイレ室５の室内で発生した音が遮音経路２０４の吸音材２０７により減衰するため、トイレ室５の室内で発生した音の廊下６への透過量をさらに少なくできる。
【００１７】
また、遮音ダクト２００の遮音経路２０４は、床１側と天井４側との間を往復する往復路２０８により形成されたので、遮音経路２０４の長さ寸法を筐体２０１の高さ寸法より長く形成でき、遮音経路２０４の長さを長くできるので、音の減衰効果を向上できる。
【００１８】
空気取込孔５１は、特定の部屋以外の建物内部の１つ以上の区画領域から床下空間３５に通じるように設ければよい。例えば、床下空間３５と特定の部屋以外の建物内部の居住空間としての廊下６とに跨って貫通する空気取込孔５１のみを設けるようにしてもよい。
尚、図１、及び、後述の図４、図５、図６に示す矢印は、空気の流れを示す。
【００１９】
最良の形態２
図４に示す遮音ダクト２００（給気側の遮音ダクト）を用いてもよい。この遮音ダクト２００は、遮音ダクト２００を形成する筐体２０１の内壁２０２と内部仕切板２０３とによって形成された遮音経路２０４を備える。遮音経路２０４は、上下方向に沿った床１側と天井４側との間において上下の延長する蛇行路２０９により形成される。遮音経路２０４の一端側には一端側開放口２０５を備え、遮音経路２０４の他端側には他端側開放口２０６を備える。遮音経路２０４の一端側開放口２０５と空気供給孔３２とが繋がれる。遮音経路２０４の他端側開放口２０６はトイレ室５の室内に開放される。つまり、遮音経路２０４が床下空間３５とトイレ室５の室内とに繋がっており、空気が床下空間３５とトイレ室５の室内との間で遮音経路２０４を経由して移動可能（給気可能）である。内壁２０２の表面と内部仕切板２０３の表面とには、グラスウールやロックウールのような吸音材２０７が設けられる。よって、遮音経路２０４を経由する音は吸音材１０７により減衰する。
最良の形態２では、最良の形態１と同様の効果が得られる。尚、最良の形態２では、遮音経路２０４が床１側と天井４側との間において上下方向に延長する蛇行路２０９により形成されたので、遮音経路２０４の長さ寸法を筐体２０１の高さ寸法より長く形成でき、遮音経路２０４の長さを長くできるので、音の減衰効果を向上できる。
【００２０】
最良の形態３
図５に示すように、最良の形態１の遮音ダクト２００の１つを排気路として用いてもよい。即ち、最良の形態１の遮音ダクト２００の１つを上下逆にして設置することによって排気側の遮音ダクト２００Ａを形成し、残りの１つはそのまま給気側の遮音ダクト２００として使用する。天井仕上げボード１６には排気孔２１１を形成して排気孔２１１と排気側の遮音ダクト２００Ａの遮音経路２０４の一端側開放口２０５とを繋ぐ。排気装置３１Ａは、排気側の遮音ダクト２００Ａの遮音経路２０４又は排気孔２１１に設けられる。排気装置３１Ａは、トイレ室５の室内の空気を遮音経路２０４、排気孔２１１経由でトイレ室５の外に排出する。排気装置３１Ａによってトイレ室５より排出された空気は、天井裏空間３３を経由して戸外に通じる図外の排気孔より戸外に排出される。
最良の形態３によれば、最良の形態１と同様の効果が得られる。尚、最良の形態３では、トイレ室５の室内で発生した音が天井裏空間３３を通してトイレ室５以外の戸内や図外の排気孔から戸外に伝わるが、排気側の遮音ダクト２００Ａ内の遮音経路２０４内に入った音が遮音経路２０４内の吸音材２０７で吸音されるので、トイレ室５以外の戸内や戸外に音が伝わりにくくなるという効果が得られる。
【００２１】
最良の形態４
図６に示すように、最良の形態２の遮音ダクト２００の１つを排気路として用いてもよい。即ち、最良の形態２の遮音ダクト２００の１つを上下逆にして設置することによって排気側遮音ダクト２００Ａを形成し、残りの１つはそのまま給気側の遮音ダクト２００として使用する。天井仕上げボード１６には排気孔２１１を形成して排気孔２１１と排気側の遮音ダクト２００Ａの遮音経路２０４の一端側開放口２０５とを繋ぐ。排気装置３１Ａは、排気側の遮音ダクト２００Ａの遮音経路２０４又は排気孔２１１に設けられる。排気装置３１Ａは、トイレ室５の室内の空気を遮音経路２０４、排気孔２１１経由でトイレ室５の外に排出する。排気装置３１Ａによってトイレ室５より排出された空気は、天井裏空間３３を経由して戸外に通じる図外の排気孔より戸外に排出される。
最良の形態４によれば、最良の形態３と同様の効果が得られる。
【００２２】
最良の形態５
床板１３にドリルで貫通孔をあけることにより空気取込孔５１や空気供給孔３２を形成してもよい。この場合、床１を施工した後において床板１３にドリルで孔をあけることにより空気取込孔５１や空気供給孔３２を容易に形成できるので、施工が容易となる。また、空気取込孔５１や空気供給孔３２の形成場所を自由に決めることができる。
【００２３】
最良の形態６
間仕切り壁を施工した後に床を施工する場合には、図７に示すように、床下空間１３に位置する間仕切り壁２２の下部に貫通孔６１を形成することによって、空気取込孔５１と空気供給孔３２とを繋ぐ空気流通経路６０を形成すればよい。この場合、床板１３の端面１３Ａと間仕切り壁２２との間を離した隙間Ｓにより、間仕切り壁２２側にも間仕切り壁２２に沿った空気取込孔５１及び空気供給孔３２を形成する。
【００２４】
最良の形態７
図８に示すように、壁際の床板１３を支持する際根太６２と呼ばれる根太を用いた場合には、空気取込孔５１及び空気供給孔３２は、際根太６２の位置する部分を避けて床板１３に形成した貫通孔により形成すればよい。そして、遮音ダクト２００の遮音経路２０４の一端側開放口２０５と空気供給孔３２とを繋げばよい。
【００２５】
最良の形態８
図９及び図１０に示すような遮音構成部１００を備えた遮音ダクト２００や２００Ａを設置してもよい。即ち、遮音構成部１００の一端開放口９５と空気供給孔３２、あるいは、遮音構成部１００の一端側開放口９５と排気２１１とを互いに繋ぎ、遮音構成部１００の他端側開放口９６をトイレ室５の室内に開放することによって、トイレ室５の室内と空気供給孔３２、あるいは、トイレ室５の室内と排気孔２１１とを繋ぐ遮音経路を形成する。尚、遮音ダクト２００や２００Ａは、例えば図外の取付具によりトイレ室５の床板１３あるいは天井板１６に取り付けられる。
【００２６】
遮音構成部１００は、内筒体１０２、外筒体１０３、塞体１０４を備える。内筒体１０２、外筒体１０３、塞体１０４は、板厚０．５ｍｍ〜１．６ｍｍ程度の金属板により形成される。
【００２７】
内筒体１０２は、筒の中心軸に沿った方向の一端としての前端と筒の中心軸に沿った方向の他端としての後端、すなわち、筒の前後の両端が開放された断面真円形状の円筒により形成される。
【００２８】
外筒体１０３は、筒の前後の両端が開放され、筒の中心軸に沿った方向と直交する第１直交方向としての左右の方向に扁平な断面横長扁平形状の筒により形成される。即ち、外筒体１０３は、上下の平壁部１０６；１０７と左右の側壁部１０８；１０９とにより形成される。上下の平壁部１０６；１０７は、筒の前後の方向と左右の方向とに沿って延長し、かつ、筒の中心軸及び第１直交方向と直交する第２直交方向としての筒の上下の方向で互いに平行に相対峙する平板により形成される。左右の側壁部１０８；１０９は、断面真円形状の円筒を円筒の中心軸に沿って切断した断面半円弧形状の前後に長い長尺板により形成される。上下の平壁部１０６；１０７の左端部同士が左の側壁部１０８によって互いに繋がれ、上下の平壁部１０６；１０７の右端部同士が右の側壁部１０９によって互いに繋がれたことによって、外筒体１０３が形成される。
【００２９】
外筒体１０３は、筒の左右の方向の長さ（以下、左右の長さという）Ｗが筒の上下の方向の長さ（以下、上下の長さという）Ｈより長く形成される。左右の長さＷは外筒体１０３の左右の端部外面間の長さ、上下の長さＨは外筒体１０３の上下の端部外面間の最短部分の長さである。即ち、外筒体１０３は、筒の中心軸と直交する第１直交方向の長さが筒の中心軸及び第１直交方向と直交する第２直交方向の長さより長く形成される。内筒体１０２の前後の長さは外筒体１０３の前後の長さより長く、内筒体１０２の前後の両端部が外筒体１０３の前後の両端より前後に突出する。内筒体１０２が外筒体１０３の内側に設けられて、内筒体１０２と外筒体１０３とが互いに同軸に配置され、内筒体１０２の前後の端部を外筒体１０３の前後の端部より前後に同じ長さだけ突出させた状態において、内筒体１０２の筒の外周面の上端と外筒体１０３の上の平壁部１０６の内面における左右間の中央とが筒の前端から後端にかけて互いに接続され、内筒体１０２の筒の外周面の下端と外筒体１０３の下の平壁部１０７の内面における左右間の中央とが筒の前端から後端に渡って互いに接続される。内筒体１０２と外筒体１０３とを接続する上下の接続部１１０；１１０は、内筒体１０２の外周面において互いに１８０度隔てた位置に形成される。この上下の接続部１１０；１１０を境として内筒体１０２の左右両側に、接続部１１０；１１０によって区切られた空気層１１１；１１１が形成される。
【００３０】
即ち、外筒体１０３と内筒体１０２とが同軸に配置され、内筒体１０２の筒外面と外筒体１０３の筒内面とが筒の前後に渡って互いに接続され、この接続部１１０を境として内筒体１０２の筒の左右の両側に接続部１１０によって区切られた空気層１１１が形成されたことによって、内筒体１０２の外面と外筒体１０３の内面との間の左右の方向の長さを長くでき、空気層１１１の容積を大きくでき、空気層１１１と接する外筒体１０３の内面の面積を大きくできるので、音が内筒体１０２の内部から後述する孔１１８を経由して空気層１１１へと通過する際に音の通過する通路の断面積が急変することから音エネルギーが熱エネルギーに変換されることによって音圧が低下するとともに、さらに、音の低周波成分が外筒体１０３の内面と衝突することによって減衰する量が多くなるので、音の低周波成分の減衰効果が向上する。さらに、筒の左右の方向に沿って延長して上下で互いに平行に相対峙する一対の平板により形成された平壁部１０６；１０７を備えて、左右の方向に扁平な形状で上下の長さの短い外筒体１０３を備えたので、トイレ室５に設置してもトイレ室５外に突出することなく、設置しやすい遮音構成部１００を得ることができる。尚、上述の接続とは、内筒体１０２の筒外面と外筒体１０３の筒内面とが互いに接触しているが結合されていない状態、あるいは、内筒体１０２の筒外面と外筒体１０３の筒内面とが接着剤や係合などによって互いに結合された状態をいう。
【００３１】
蓋体１０４は前蓋１１２と後蓋１１３とを有する。前蓋１１２は内筒体１０２の前端と外筒体１０３の前端とを繋いで外筒体１０３の前端と内筒体１０２の前端との間を密閉状態に塞ぐ。後蓋１１３は内筒体１０２の後端と外筒体１０３の後端とを繋いで外筒体１０３の後端と内筒体１０２の後端との間を密閉状態に塞ぐ。この蓋体１０４と外筒体１０３と内筒体１０２とで囲まれた空間により空気層１１１が形成される。
【００３２】
図１０に示すように、内筒体１０２は、筒の前端部に前側有孔筒部１１５を備え、筒の後端部に後側有孔筒部１１６を備え、前側有孔筒部１１５と後側有孔筒部１１６との間の筒部が無孔筒部１１７に形成される。内筒体１０２の後側有孔筒部１１６の外周側には吸音材部１２０を備える。
前側有孔筒部１１５および後側有孔筒部１１６は、内筒体１０２の筒壁に内筒体１０２の内部と空気層１１１とに跨って貫通する複数の孔１１８が形成された構成である。例えば、内筒体１０２の前側有孔筒部１１５と後側有孔筒部１１６とがパンチング鉄板により形成される。
【００３３】
吸音材部１２０は、吸音材収納部１２１と吸音材収納部１２１に収納された吸音材１２２とにより構成される。吸音材収納部１２１は、内筒体１０２と外筒体１０３と左右の外囲板１２３；１２４と左右の前閉塞板１２５；１２６と後蓋１１３とによって密閉されることによって、空気層１１１と遮断された空間により形成される。左右の外囲板１２３；１２４は、内筒体１０２の径より大径の筒の一部をなす断面弧状の前後に長い長尺板により形成される。左右の外囲板１２３；１２４は、内筒体１０２の左右の半円弧状の筒壁部の左右の外側に内筒体１０２と同軸状に配置され、その上端と外筒体１０３の上の平壁部１０６とが互いに接続され、その下端と外筒体１０３の下の平壁部１０７とが互いに接続される。左の前閉塞板１２５が、左の外囲板１２３の前端と内筒体１０２の外周面と外筒体１０３の内周面との間を密閉状態に塞ぐ。右の前閉塞板１２６が、右の外囲板１２４の前端と内筒体１０２の外周面と外筒体１０３の内周面との間を密閉状態に塞ぐ。左の外囲板１２３の後端及び右の外囲板１２４の前端と後蓋１１３とが密閉状態に互いに接続される。吸音材収納部１２１内には、連続気泡を備えたグラスウールやガラス繊維フェルトや不織布などのような吸音材１２２が収納される。
【００３４】
音は、前側有孔筒部１１５を経由して内筒体１０２の内側と空気層１１１の内側とに行き来するとともに後側有孔筒部１１６を経由して内筒体１０２の内側と吸音材部１２０の内側とに行き来する。上記前側有孔筒部１１５の複数の孔１１８を経由して空間層１１１に入り込んだ音の低周波成分が空間層１１１により減衰し、後側有孔筒部１１６の複数の孔１１８を経由して吸音材部１２０内に入り込んだ音の高周波成分が吸音材１２２により吸収されることによって減衰する。
【００３５】
尚、遮音構成部１００は、例えば、外筒体１０３の前後の長さが５００ｍｍ、内筒体１０２の前後の長さが６２０ｍｍ、内筒体１０２外径が１５０ｍｍ、外筒体１０３の上下の平壁部１０６：１０７の内面間の長さ（最短距離寸法）が１５０ｍｍ、外筒体１０３の左右の長さＷが３６０ｍｍあるいは５００ｍｍ、前側有孔筒部１１５の前後の長さが１００ｍｍ、吸音材部１２０及び後側有孔筒部１１６の前後長さが２００ｍｍ、吸音材部１２０の左端部と右端部との間の長さが２５０ｍｍ、無孔筒部１１７の前後の長さが２００ｍｍである。前側有孔筒部１１５、後側有孔筒部１１６は、例えば、パンチング鉄板により形成し、複数の孔１８の開口率は５８％とした。
【００３６】
最良の形態８によれば、遮音ダクト２００を空気供給孔３２や排気孔２１１に繋ぐことで、トイレ室５の室内で発生した音が遮音ダクト２００や２００Ａに入って遮音構成部１００で減衰するため、トイレ室５の室内で発生した音の廊下６への透過量をさらに少なくできる。
【００３７】
遮音構成部１００の作用をさらに詳細に説明する。トイレ室５の室内で発生した音が遮音構成部１００に進入すると、音が、前側有孔筒部１１５の貫通孔１１８を経由して空気層１１１に入ったり、後側有孔筒部１１６の貫通孔１１８を経由して吸音材収納部１２１に入る。音が内筒体１０２の内部から孔１１８を経由して空気層１１１へと通過する際に音の通過する通路の断面積が急変することから音エネルギーが熱エネルギーに変換されることによって音圧が低下するとともに、空気層１１１に入った音の低周波成分は、外筒体１０３の内面と内筒体１０２の外面とに衝突して減衰する。最良の形態８の遮音構成部１００では、外筒体１０３の左右の長さＷを長くすることによって、内筒体１０２の外面と外筒体１０３の内面との間の左右の方向の長さを長くでき、空気層１１１の容積を大きくできたので、音の通過する通路の断面積の変化がさらに大きくなることから音の低周波成分の減衰量を多くでき、さらに、空気層１１１と接する外筒体１０３の内面の面積を大きくできたので、外筒体３の内面と衝突する音の低周波成分が多くなり、音の低周波成分の減衰効果が向上する。また、吸音材収納部１２１内に入った音の高周波成分は吸音材１２２に吸音されることによって減衰する。
【００３８】
従って、最良の形態８では、遮音構成部１００を備えたので、音の低周波成分が空気層１１１内で減衰するとともに音の高周波成分が吸音材収納部１２１内の吸音材１２２によって吸収されることによって減衰するので、トイレ室５の室内で発生した音を効果的に減衰でき、廊下６への透過量を少なくできる。
また、外筒体３の左右の長さＷを上下の長さＨより長くしたので、上述したように内筒体２の外面と外筒体３の内面との間の左右の方向の長さを長くでき、空気層１１１の容積を大きくでき、空気層１１１と接する外筒体３の内面の面積を大きくできるという、３つの要素を得ることができるので、遮音効果を向上できる。
【００３９】
最良の形態９
最良の形態８の遮音構成部１００に代えて、図１１に示すような遮音構成部１００を備えた遮音ダクト１０を用いてもよい。即ち、最良の形態１の遮音構成部１００の外筒体１０３の左右の側壁部１０８：１０９の内面に、吸音材としてのロックフェルト１５０を設けた構成の遮音構成部１００を用いる。
最良の形態９によれば、トイレ室５の室内から遮音ダクト１０の遮音構成部１００の空気層１１１内に入った音の高周波成分がロックフェルト１５０に吸音されて減衰するので、音の高周波成分をさらに効果的に減衰させることができる。
【００４０】
最良の形態１０
図１２；１３に示すように、最良の形態９で説明した遮音構成部１００の内筒体１０２の代わりに、複数の孔１１８が円筒の筒壁の全域に渡って均等に形成された有孔筒体によって形成された内筒体１０２を備えた構成とした。
最良の形態１０によれば、トイレ室５の室内から内筒体１０２を形成する有孔筒体の孔１１８を経由して内筒体１０２の内側から空間層１１１に入り込んだ音の低周波成分が空間層１１１で減衰するとともに、空気層１１１内に入った音の高周波成分がロックフェルト１５０に吸音されることによって減衰するので、音の低周波成分及び高周波成分を効果的に減衰させることができる。
【００４１】
最良の形態１１
図１４；１５に示すように、最良の形態９で説明した内筒体１０２の代わりに、複合内筒体１０２Ｂを備えた構成とした。複合内筒体１０２Ｂは、前部内筒体１５５と後部内筒体１５６とにより形成される。前部内筒体１５５は、前後両端が開口し、前後の長さが外筒体１０３の前後の長さより短い断面真円形状の円筒により形成され、複数の孔１１８が円筒の筒壁の全域に渡って均等に形成された有孔筒体によって形成される。後部内筒体１５６は、前後両端が開放する筒体であり、前端開口縁１５７の左右方向の長さが前部内筒体１５５の後端開口縁１５８の左右の長さより長い扁平円形状に形成される。前部内筒体１５５と後部内筒体１５６とが軸中心を一致させた状態に配置され、前部内筒体１５５の後端開口縁１５８の上部と後部内筒体１５６の前端開口縁１５７の上部とが互いに接続され、前部内筒体１５５の後端開口縁１５８の下部と後部内筒体１５６の前端開口縁１５７の下部とが互いに接続されて複合内筒体１０２Ｂが形成される。複合内筒体１０２Ｂの上端と外筒体１０３の上の筒壁部１０６の内面における左右間の中央とが互いに接続され、複合内筒体１０２Ｂの下端と外筒体１０３の下の筒壁部１０７の内面における左右間の中央とが互いに接続される。以上によって、前部内筒体１５５の後端開口縁１５８と後部内筒体１５６の前端開口縁１５７との間には、後部内筒体１５６の内部と空気層１１１とに開通する空気流通部１５９が形成される。
最良の形態１１の遮音構成部１００では、トイレ室５から遮音構成部１００に入り込んだ音は複数の孔１１６を経由して空気層１１１に入り込み、また、床下空間３５から遮音構成部１００の内部に入り込んだ音は前部内筒体１５５の複数の孔１１６を経由して空気層１１１に入り込む。空気層１１１に入り込んだ音の低周波成分が空気層１１１により減衰されるとともに空気層１１１内に入った音の高周波成分がロックフェルト１５０に吸音されることによって減衰するので、音の低周波成分及び高周波成分を効果的に減衰させることができる。
【００４２】
最良の形態１２
図１２；１３で示した最良の形態１０の遮音構成部１００における内筒体１０２の外周面に図外の連続気泡シートを巻き付け、外筒体１０３の左右の筒壁部１０８；１０９の内面に吸音材としてのロックフェルト１５０を設けない構成とした。連続気泡シートは、連続気泡を備えた金属製の繊維積層板により形成される。金属製の繊維積層板は、アルミのくず、ステンレスのくずのような金属くずをプレスして板状に形成したものである。この繊維積層板では、狭い空間が板の厚さ方向に階段状に連続するような連続気泡が形成される。
このような連続気泡を備えた繊維積層板を内筒体１０２の外周面に巻き付けて構成した最良の形態１２の遮音構成部１００によれば、音の高周波成分が連続気泡を通過する場合に繊維積層板の基材（連続気泡シートのシート基材）に衝突することによって衝突部分が振動して音の高周波成分が減衰し、また、音圧によって繊維積層板及び内筒体１０２が板振動するので、音の低周波成分がこの板振動によって減衰する。さらに、音の低周波成分が、小さな空間である連続気泡から大きな空間である空気層１１１に入るので、効率的に減衰する。
【００４３】
最良の形態１３
最良の形態１２の遮音構成部１００において外筒体１０３の左右の筒壁部１０８：１０９の内面に吸音材としてのロックフェルト１５０を設けた構成の遮音構成部１００とした。最良の形態６の遮音構成部１によれば、空気層１１１に入った音の高周波成分がロックフェルト５０により吸音されて減衰するので、最良の形態５の遮音構成部１００より高周波成分の減衰効果を高くできる。
【００４４】
例えば、ロックフェルト１５０は、外筒体１０３の前後端に渡って前後に延長して設け、厚さが２０ｍｍである。例えば、前部内筒体１５５の前後の長さが３５０ｍｍ、後部内筒体１５６の前後の長さが２００ｍｍである。例えば、前側有孔筒部１１５、後側有孔筒部１１６、内筒体１０２Ａ、前部内筒体１５５は、パンチング鉄板により形成し、複数の孔１１８の開口率は５８％とした。また、後述する実験に用いた最良の形態５；６の遮音構成部は、連続気泡シートとしてアルミ箔繊維積層板を内筒体１０２の外周面全体に巻き付けて形成した。
【００４５】
最良の形態８乃至最良の形態１３による遮音構成部１００として、それぞれ、外筒体３の左右の長さＷが３６０ｍｍのものと５００ｍｍのものとを用意し、これら各遮音構成部１を用いた場合の音圧レベル減衰量（ｄＢ）を測定する実験を行った。
実験は、図１６に示す実験装置で実施した。即ち、試験体である遮音構成部１００の内筒体１０２の一端側開放口９５と内径１５０ｍｍの前円筒管１６１の後端開放口とが互いに繋がれ、遮音構成部１００の他端側開放口９６と内径１５０ｍｍの後円筒管１６２の前端開放口とが互いに繋がれ、前円筒管１６１の前部に音を取り込む音管１６３の一端が接続され、音管１６３の他端に音源スピーカ１６４が配置され、音源スピーカ１６４には雑音発生器１６５の発生する雑音が増幅器１６６で増幅されて入力される。前円筒管１６１の前端部には無反射端１６６が形成され、後円筒管１６２の後端部には無反射端１６７が形成される。無反射端１６６は、前円筒管１６１の内側において筒の前端から遮音構成部１００の位置する側に向けて、図外の密度９６ｋｇ／ｍ３で厚さ５０ｍｍのグラスウールを２枚、密度４８ｋｇ／ｍ３で厚さ５０ｍｍのグラスウールを２枚、密度２４ｋｇ／ｍ３で厚さ５０ｍｍのグラスウールを２枚、当該順番で積層して形成した。無反射端１６７も同様に形成した。音圧レベル減衰量（ｄＢ）の測定は、遮音構成部１の一端から前方に所定距離ａだけ離れた前円筒管１６１の内側にマイク６８を設置するとともに、遮音構成部１の後端から後方に所定距離ｂだけ離れた後円筒管１６２の内側にマイク１６９を設置し、マイク１６８；１６９で集めた音の音圧レベルをそれぞれ個別にサウンドレベルメータ（周波数分析機能付）１７０；１７１で測定し、遮音構成部１００の前側での音圧レベルと遮音構成部１００の後側での音圧レベルとの差、即ち、音圧レベル減衰量を求めた。所定距離ａと所定距離ｂとを同じ距離とし、所定距離ａ：ｂを遮音構成部１００から無反射端１６６；１６７に向けて０ｍｍの地点ｘから１０００ｍｍの地点ｙまでの間において１００ｍｍ間隔毎の地点であるそれぞれ１１箇所に設定し、遮音構成部１００の前後で遮音構成部１００から同じ距離にある対応する対の１１箇所でそれぞれ音圧レベル減衰量を測定し、その１１箇所での減衰量の平均値を測定結果とした。図１６の符号以外の数字は寸法を示し、単位はｍｍである。
尚、比較例Ｐとして、図１６の遮音構成部１００の部分に、管の内周面に厚さ２０ｍｍの吸音材を備えた長さ１０００ｍｍの円筒管を繋げた場合についても同様に測定した。当該円筒管は、管の径寸法が前円筒管１６１及び後円筒管１６２と同じ寸法に形成されるとともに、前後端部が前円筒管１６１及び後円筒管１６２に嵌り合う寸法に形成されたことによって、前後端部を前円筒管１６１及び後円筒管１６２に嵌め合わせて繋げた。
最良の形態８乃至最良の形態１３による遮音構成部１００及び比較例Ｐでの測定結果を図１７に示す。
【００４６】
最良の形態８乃至１３による遮音構成部１の遮音効果について図１７乃至図１９を参照し、説明する。尚、図１７の遮音構成部１００の形態の欄に示す左側の数値は最良の形態の番号、右側の（）内の数字は外筒体１０３の左右の長さＷを示す。図１８では、外筒体１０３の左右の長さＷ＝３６０ｍｍとした場合の最良の形態８乃至１３による遮音構成部１００の結果をまとめてグラフに示した。図１９では、外筒体１０３の左右の長さＷ＝５００ｍｍとした場合の最良の形態８乃至１３による遮音構成部１００の結果をまとめてグラフに示した。
【００４７】
Ｗ＝３６０ｍｍの場合、最良の形態８：９で使用した遮音構成部１００の遮音効果が優れている。最良の形態１で使用した遮音構成部１００では、吸音材部１２０と空気層１１１とを備えているので、５００Ｈｚ帯域以上の高周波成分の音に対する音圧レベル減衰量及び５００Ｈｚ帯域以下の低周波成分の音に対する音圧レベル減衰量が優れている。最良の形態９で使用した遮音構成部１００では、さらにロックフェルト１５０を備えているために、５００Ｈｚ帯域以上の高周波成分の音に対する音圧レベル減衰量が優れている。
Ｗ＝５００ｍｍの場合、空気層１１１と接する外筒体１０３の内面の面積がＷ＝３６０ｍｍの場合と比べて大きいので、空気層１１１に入る音の低周波成分の減衰効果が向上している。
尚、Ｗ＝３６０ｍｍの場合において最良の形態１３の遮音構成部１００での１２５Ｈｚ帯域の減衰量は３．７ｄＢ、Ｗ＝５００ｍｍの場合において最良の形態８の遮音構成部１００での１２５Ｈｚ帯域の減衰量は３．５ｄＢであり、比較例Ｐより若干悪いが、計測上の誤差であり、工学的には性能は比較例Ｐとほぼ同じである。その他は、いずれも比較例Ｐよりも遮音効果が優れている。
【００４８】
最良の形態１４
図２０乃至図２２に示したような遮音構成部１００を備えた遮音ダクト１０を用いてもよい。図２０は内筒体１０２の左右の両側の空気層１１１の大きさを違わせた構成の遮音構成部１００である。図２１は内筒体１０２の左右のいずれか一方のみに空気層１１１を形成した構成の遮音構成部１００である。図２２は外筒体１０３の上下の長さＨを内筒体１０２の外径寸法より大きくして内筒体２の上下左右に連続する空気層１１１を形成した構成の遮音構成部１００である。以上のような構成の遮音構成部１００であっても、外筒体１０３の左右の長さＷを外筒体１０３の上下の長さＨより長くしたので、内筒体１０２の外面と外筒体１０３の内面との間の左右の方向の長さを長くでき、空気層１１１の容積を大きくでき、空気層１１１と接する外筒体１０３の内面の面積を大きくできるので、音の低周波成分の遮音効果を向上できるからである。
【００４９】
尚、最良の形態１乃至１４において、開口部４２を経由するトイレ室５の室内と廊下６との間の空気の流通経路が遮断手段４５により遮断された場合、トイレ室５に対する空気の流通は、空気供給孔３２と排気装置３１Ａの取付孔とを介して、あるいは、空気供給孔３２と排気孔１１１とを介してのみ可能である。
【産業上の利用可能性】
【００５０】
本発明は、一般的な木造住宅にも適用できる。
【００５１】
建物の外壁に形成されて建物外部と建物内部の居住外空間である床下空間又は天井裏空間とに跨って貫通する空気取込孔５１を設けるとともに、この空気取込孔５１と空気供給孔３２とを繋ぐ空気流通経路６０を構成してもよい。この場合でも、建物外部から空気流通経路６０を経由して特定の部屋に空気が供給されて特定の部屋の換気を行えるとともに、特定の部屋の室内で発生した音の部屋外への透過量を少なくできるという効果が得られる。
【００５２】
特定の部屋と天井裏空間３３とに跨って貫通する空気供給孔３２と、特定の部屋以外の建物内の居住空間と天井裏空間３３とに跨って貫通する空気取込孔５１とを形成することによって、これら空気取込孔５１と空気供給孔３２とを繋ぐ空気流通経路６０を構成してもよい。この場合、天井板１６の端面と壁の内面とが接触することによるこすれ音の発生をなくすことができる。
【００５３】
少なくとも、排気側の遮音ダクト１００及び給気側の遮音ダクト１００Ｂのうち１つ設ければよい。この場合でも、空気流通経路６０を経由して特定の部屋に空気が供給されて特定の部屋の換気を行えるとともに、遮断手段４５及び１つの遮音ダクトにより特定の部屋の室内で発生した音の部屋外への透過量を少なくできるという効果が得られる。
【００５４】
空気供給孔３２は、床下空間３５から床板１３及び特定の部屋の間仕切り壁を経由して特定の部屋の室内に通じる孔、あるいは、天井裏空間３３から天井板１６及び特定の部屋の間仕切り壁を経由して特定の部屋の室内に通じる孔により形成してもよい。
【００５５】
尚、特定の部屋は、トイレ室５以外の、例えば、居間、洗濯室、子供部屋などの部屋でもよい。
【図面の簡単な説明】
【００５６】
【図１】マンションの一戸のトイレ室を示す断面図（最良の形態１）。
【図２】マンションの一戸を示す断面図（最良の形態１）。
【図３】マンションの一戸を示す平面図（最良の形態１）。
【図４】マンションの一戸のトイレ室を示す断面図（最良の形態２）。
【図５】マンションの一戸のトイレ室を示す断面図（最良の形態３）。
【図６】マンションの一戸のトイレ室を示す断面図（最良の形態４）。
【図７】マンションの一戸を示す断面図（最良の形態６）。
【図８】マンションの一戸を示す断面図（最良の形態７）。
【図９】（ａ）は遮音構成部の斜視図、（ｂ）は遮音構成部を前側から見た図（最良の形態８）。
【図１０】遮音構成部の断面図（最良の形態８）。
【図１１】遮音構成部の斜視図（最良の形態９）。
【図１２】遮音構成部の斜視図（最良の形態１０）。
【図１３】遮音構成部の断面図（最良の形態１０）。
【図１４】遮音構成部の斜視図（最良の形態１１）。
【図１５】遮音構成部の断面図（最良の形態１１）。
【図１６】遮音構成部の音圧レベル減衰量を測定した実験装置を示す図（最良の形態８乃至１３及び比較例）。
【図１７】実験結果を示す表（最良の形態８乃至１３及び比較例）。
【図１８】実験結果を示すグラフ（最良の形態８乃至１３及び比較例）。
【図１９】実験結果を示すグラフ（最良の形態１乃至１３及び比較例）。
【図２０】遮音構成部を示す図（最良の形態１４）。
【図２１】遮音構成部を示す図（最良の形態１４）。
【図２２】遮音構成部の他例を示す図（最良の形態１４）。
【符号の説明】
【００５７】
５  トイレ室（特定の部屋）、１３  床板、１３Ａ  床板の端面、
３１  排気手段、３１Ａ  排気装置（排気手段）、３２  空気供給孔、
３５  床下空間、４１  出入口、４５  遮断手段、５１  空気取込孔、
６０  空気流通経路、９５  一端側開放口、９６  他端側開放口、
１００  遮音構成部、１０２  内筒体、１０３  外筒体、１０４  蓋体、
１１１  空気層、１１５  前側有孔筒部、１１６  後側有孔筒部、１１８  孔、
１２０  吸音材部、１２１  吸音材収納部、１２２  吸音材、
２００  遮音ダクト（給気側の遮音ダクト）、２００Ａ  排気側の遮音ダクト、
２０４  遮音経路、２０５  一端側開放口、２０６  他端側開放口、
２０８  往復路、２０９  蛇行路、２１１  排気孔、Ｓ  隙間。
【図１】
2008150874.tif 000003
【図２】
2008150874.tif 000004
【図３】
2008150874.tif 000005
【図４】
2008150874.tif 000006
【図５】
2008150874.tif 000007
【図６】
2008150874.tif 000008
【図７】
2008150874.tif 000009
【図８】
2008150874.tif 000010
【図９】
2008150874.tif 000011
【図１０】
2008150874.tif 000012
【図１１】
2008150874.tif 000013
【図１２】
2008150874.tif 000014
【図１３】
2008150874.tif 000015
【図１４】
2008150874.tif 000016
【図１５】
2008150874.tif 000017
【図１６】
2008150874.tif 000018
【図１７】
2008150874.tif 000019
【図１８】
2008150874.tif 000020
【図１９】
2008150874.tif 000021
【図２０】
2008150874.tif 000022
【図２１】
2008150874.tif 000023
【図２２】
2008150874.tif 000024